(57)【要約】【課題】キャビネットに手を加えることなく、簡単な構成でキッチンユニットを床に固定することができるとともに、安全性と外観デザイン性を高めることができるキッチンユニットの床固定構造を提供すること。【解決手段】キッチンユニットを構成するシンクキャビネット２の台輪５の一側面に開口凹部５ｅを形成し、該開口凹部５ｅに収容されるＬ型金具（床固定部材）１６によってシンクキャビネット２を床２０に固定した後、開口凹部５ｅをガスキャビネット３の台輪６で塞いでキッチンユニットの床固定構造を構成する。【選択図】図２
2006034752.tif 000002
【特許請求の範囲】
【請求項１】
キッチンユニットを構成するキャビネットの台輪の一側面に開口凹部を形成し、該開口凹部に収容される床固定部材によってキャビネットを床に固定した後、開口凹部を他部材で塞いで成ることを特徴とするキッチンユニットの床固定構造。
【請求項２】
キッチンユニットを構成する複数のキャビネットの少なくとも１つに前記開口凹部を形成し、該開口凹部を他のキャビネットの台輪によって塞ぐことを特徴とする請求項１記載のキッチンユニットの床固定構造。
【請求項３】
キッチンユニットを構成する単体のキャビネットに前記開口凹部を形成し、該開口凹部を化粧カバーによって塞ぐことを特徴とする請求項１記載のキッチンユニットの床固定構造。
【請求項４】
前記床固定部材をＬ型金具で構成し、該Ｌ型金具を複数の固定ねじによって前記キャビネットと床に固定することを特徴とする請求項１〜３記載のキッチンユニットの床固定構造。
【請求項５】
前記床固定部材を床に固定した後、キャビネットに固定することを特徴とする請求項１〜４の何れかに記載のキッチンユニットの床固定構造。
【発明の詳細な説明】
【技術分野】
【０００１】
本発明は、単体又は複数のキャビネットで構成されるアイランド型のキッチンユニットの床への固定構造に関するものである。
【背景技術】
【０００２】
単体又は複数のキャビネットで構成されるアイランド型のキッチンユニットは、キッチンの床上に設置されるが、安全性等を考慮して該キッチンユニットを床に固定することが考えられる。
【０００３】
キッチンユニットの床への固定には、例えば図７に示すように、キッチンユニットを構成するキャビネット１０２の台輪１０５にのＬ型金具１１６を外付けし、このＬ型金具１１６を複数の固定ねじ１１７で台輪１０５と床１２０に取り付けることによってキャビネツト１０２を床１２０に固定する方法が考えられる。
【０００４】
ところが、上記固定構造では、Ｌ型金具１１６が外部に露出するため、このＬ型金具１１６に足が引っ掛かったりして安全上好ましくないばかりか、外観デザイン上も好ましくなく、商品性を下げる結果となる。
【０００５】
そこで、図８に示すように、台輪１０５の内側にＬ型金具１１６を配し、このＬ型金具１１６でキャビネット１０２を床１２０に固定する構造も考えられるが、この構造では、Ｌ型金具１１６を床１２０に固定するために固定ねじ１１７をドライバ等の不図示の工具によって床１２０にネジ込む際に工具がキャビネット１０２と干渉するため、作業性が悪いという問題がある。
【０００６】
上記問題を解決するため、図９に示すように、床固定部材２１６を、床２２０に固定される床固定具２１６Ａと台輪２０５の内側面に固定される側板固定具２１６Ｂとで構成し、側板固定具２１６Ｂを床固定具２１６Ａに対してスライド自在とし、床２２０に植設されたアンカボルト２３０に床固定具２１６Ａと側板固定具２１６Ｂとを通し、アンカボルト２３０に螺合する蝶ナット２３１を手で回して床固定具２１６Ａと側板固定具２１６Ｂを固定する構造が提案されている（特許文献１参照）。
【０００７】
又、収納棚の床固定構造として、床面に固定される本体部と棚板の一部に係止される係止片とで床固定部材を構成し、本体部と係止片とをボルト・ナットで固定することによって収納棚を床に固定する構造も提案されている（特許文献２参照）。
【０００８】
【特許文献１】特開平９−１２１９６５号公報
【特許文献２】特開２０００−１１６４５１号公報
【発明の開示】
【発明が解決しようとする課題】
【０００９】
しかしながら、特許文献１，２において提案された固定構造では、床固定部材として２部材を要するために構成部品点数が増加してコストアップを招く他、床固定部材が外から見えるために外観デザイン性に劣り、商品性が損なわれるという問題がある。
【００１０】
他方、床固定金具をキャビネットの台輪内に配し、この固定部材をキャビネットの内部から固定する方法も考えられるが、この方法では、キャビネットの底板に形成された点検口を大きくする等の必要が生じ、キャビネットの構造が複雑化するという問題が発生する。
【００１１】
本発明は上記問題に鑑みてなされたもので、その目的とする処は、キャビネットに手を加えることなく、簡単な構成でキッチンユニットを床に固定することができるとともに、安全性と外観デザイン性を高めることができるキッチンユニットの床固定構造を提供することにある。
【課題を解決するための手段】
【００１２】
上記目的を達成するため、請求項１記載の発明は、キッチンユニットを構成するキャビネットの台輪の一側面に開口凹部を形成し、該開口凹部に収容される床固定部材によってキャビネットを床に固定した後、開口凹部を他部材で塞いで成ることを特徴とする。
【００１３】
請求項２記載の発明は、請求項１記載の発明において、キッチンユニットを構成する複数のキャビネットの少なくとも１つに前記開口凹部を形成し、該開口凹部を他のキャビネットの台輪によって塞ぐことを特徴とする。
【００１４】
請求項３記載の発明は、請求項１記載の発明において、キッチンユニットを構成する単体のキャビネットに前記開口凹部を形成し、該開口凹部を化粧カバーによって塞ぐことを特徴とする。
【００１５】
請求項４記載の発明は、請求項１〜３の何れかに記載の発明において、前記床固定部材をＬ型金具で構成し、該Ｌ型金具を複数の固定ねじによって前記キャビネットと床に固定することを特徴とする。
【００１６】
請求項５記載の発明は、請求項１〜４の何れかに記載の発明において、前記床固定部材を床に固定した後、キャビネットに固定することを特徴とする。
【発明の効果】
【００１７】
請求項１記載の発明によれば、キッチンユニットの床への固定に際して、先ず、床固定部材を床に固定し、その後、キャビネットを床上で移動させてその台輪の一側面に形成された開口凹部内に床固定部材を収納し、該床固定部材に開口凹部の端面を当接させて該端面に床固定部材を固定し、最後に開口凹部を他部材で塞ぐことによって、キャビネットに手を加えることなく、簡単な構成でキッチンユニットを床に固定することができる。又、床固定部材はキャビネットの台輪に形成された開口凹部内に収納され、開口凹部は他部材によって塞がれるため、床固定部材が外部に露出することがなく、該床固定部材に足を引っ掛けて安全性が損なわれたり、外観デザイン性が損なわれることがなく、キッチンユニットの安全性と商品性が高められる。
【００１８】
請求項２記載の発明によれば、キッチンユニットが複数のキャビネットで構成される場合、少なくとも１つのキャビネットに形成された開口凹部が他のキャビネットの台輪によって塞がれるため、床固定部材が外部に露出することがなく、キッチンユニットの安全性と外観デザイン性が高められる。
【００１９】
請求項３記載の発明によれば、キッチンユニットが単一のキャビネットで構成される場合、そのキャビネットに形成された開口凹部が化粧カバーによって塞がれるため、床固定部材が外部に露出することがなく、キッチンユニットの安全性と外観デザイン性が高められる。
【００２０】
請求項４記載の発明によれば、床固定部材をＬ型金具で構成したため、床固定部材としては１部品で足り、部品点数の削減とコストダウンを図ることができる。
【００２１】
請求項５記載の発明によれば、キャビネットを固定位置から退避させた状態で床固定部材を先ず床に固定し、その後、キャビネットを固定位置に移動させてこれに床固定部材を固定するようにしたため、床固定部材を用いてキャビネットを作業性良く床に固定することができる。
【発明を実施するための最良の形態】
【００２２】
以下に本発明の実施の形態を添付図面に基づいて説明する。
【００２３】
図１は本発明に係る床固定構造を備えるキッチンユニットの斜視図、図２は同キッチンユニットの分解斜視図、図３はシンクキャビネットの台輪の平面図、図４は図３のＡ−Ａ線断面図、図５（ａ）〜（ｃ）はキッチンユニットの床への固定要領をその工程順に示す部分断面図、図６はシンクキャビネットとガスキャビネットとの接合要領を示す部分斜視図である。
【００２４】
図１に示すキッチンユニット１は、アイランド型の調理実習台であって、これは各々独立に構成された矩形ボックス状のシンクキャビネット２とガスキャビネット３とを接合一体化し、これらの上面にワークトップ４を敷設して構成されており、シンクキャビネット２とガスキャビネット３の下面の周囲には矩形枠状の台輪５，６がそれぞれ取り付けられている。
【００２５】
そして、前記ワークトップ４のシンクキャビネット２側の部位には凹状のシンク７が埋設されており、このシンク７の奥側には水栓金具８が立設されている。ここで、シンクキャビネット２内の前記シンク７の下方の部位は収納空間Ｓ１となっており（図２参照）、この収納空間Ｓ１は、シンクキャビネット２の前面に設けられた開閉扉９によって開閉される。又、シンクキャビネット２の空間Ｓ１の横にも小容量の収納空間Ｓ２が形成されており（図２参照）、この収納空間Ｓ２には上下３段の引き出し１０が手前側に引き出し可能に収納されている。
【００２６】
又、前記ワークトップ４のガスキャビネット３側の部位にはガステーブル１１が設置されており、ガスキャビネット３のガステーブル１１の下方の部位は収納空間Ｓ３となっており（図２参照）、この収納空間Ｓ３にはオーブン１２及びレンジ１３がユニットとしてビルトインされている。そして、ガスキャビネット３のオーブン１２及びレンジ１３の左右には大小の収納空間Ｓ４，Ｓ５が形成されており（図２参照）、これらの収納空間Ｓ４，Ｓ５は、ガスキャビネット３の前面に設けられた開閉扉１４，１５によってそれぞれ開閉される。
【００２７】
次に、以上のように構成されたキッチンユニット１の床２０への固定構造について説明する。
【００２８】
シンクキャビネット２の下面に取り付けられた前記台輪５は、図３に示すように、互いに平行に配された長尺の横枠５ａ，５ｂとこれらの横枠５ａ，５ｂ間に直角に架設された短尺の縦枠５ｃ，５ｄによって矩形枠状に構成されている。尚、図４に示すように、各横枠５ａ，５ｂは断面逆Ｌ字状のアングル材によって構成されており、図示しないが、各縦枠５ｃ，５ｄも横枠５ａ，５ｂと同様のアングル材によって構成されている。
【００２９】
そして、以上のように構成された台輪５においては、図３に示すように、一方の縦枠５ｄが台輪５の端面から所定量だけ内方（図３の左方）へオフセットした位置（奥まった位置）に配置されており、これによって台輪５の一側面には開口凹部５ｅが形成されている。
【００３０】
而して、キッチンユニット１の床２０への固定は次の手順に従ってなされる。
【００３１】
即ち、図２に示すように、シンクキャビネット２とガスキャビネット３を正規の固定位置から退避させた状態で床固定部材としてのＬ型金具１６を図５（ａ）に示すように所定の位置で複数（本実施の形態では、３本）の固定ねじ１７によって固定する。即ち、図２に示すように、Ｌ型金具１６の水平部１６ａと垂直部１６ｂには３つのねじ孔１８が長さ方向に適当な間隔でそれぞれ形成されており、Ｌ型金具１６は、その水平部１６ａに形成されたねじ孔１８に垂直上方から挿通する固定ねじ１７をドライバ等の工具によって床２０にねじ込むことによって床２０の所定位置に固定される。この場合、前述のようにシンクキャビネット２とガスキャビネット３は正規の固定位置から退避しているため、このＬ型金具１６の床２０への固定を作業性良く行うことができる。
【００３２】
上述のようにしてＬ型金具１６が床２０の所定位置に固定されると、シンクキャビネット２を床２０上でＬ型金具１６の方向（図２の矢印方向）に移動させ、その台輪５の一側面に形成された前記開口凹部５ｅ内にＬ型金具１６を収納し、図５（ｂ）に示すように、Ｌ型金具１６の垂直部１６ｂに台輪５の開口凹部５ｅの内端面を当接させる。そして、この状態で、Ｌ型金具１６の垂直部１６ｂに形成されたねじ孔１８に横方向（水平方向）から挿通する固定ねじ１９をドライバ等の工具によって台輪５にねじ込むことによってＬ型金具１７が台輪５に固定され、この結果、シンクキャビネット２がＬ型金具１６によって床２０の正規の位置に固定される。尚、この場合も、ガスキャビネット３は正規の固定位置（作業位置）から退避しているため、Ｌ型金具１６の台輪５への固定を作業性良く行うことができる。
【００３３】
以上のようにしてシンクキャビネット２がＬ型金具１６によって床２０の所定位置に固定されると、ガスキャビネット３を床２０上でシンクキャビネット２の方向（図２の矢印方向）に移動させ、図５（ｃ）に示すように、ガスキャビネット３の一側面とシンクキャビネット２の一側面とを合わせる。すると、シンクキャビネット２の台輪５に形成された開口凹部５ｅの開口部がガスキャビネット３の台輪６によって塞がれ、開口凹部５ｅ内に収納されたＬ型金具１６が人の視界から完全に隠される。
【００３４】
そして、上述のようにガスキャビネット２とシンクキャビネット３同士が合わせられると、図６に示すように、両者の側壁同士を複数本（図示例では、５本）のジョイントねじ２１によって接合してガスキャビネット２とシンクキャビネット３を結合して両者を一体化する。即ち、例えばガスキャビネット３側から両キャビネット２，３の側壁にジョイントねじ２１をねじ込んで両キャビネット２，３同士を固定した後、各ジョイントねじ２１の頭部に樹脂製のジョイントキャップ２２を被冠する。
【００３５】
以上の要領によってガスキャビネット２とシンクキャビネット３が床２０の所定位置に固定されると、これらの上面にワークトップ４を載せてこれを固定するとともに、シンク７やガステーブル１１、オーブン１２、レンジ１３等を設置すれば、図１に示すアイランド型のキッチンユニット１が完成し、このキッチンユニット１が床２０の所定位置に固定されることとなる。
【００３６】
以上のように、本実施の形態においては、シンクキャビネット２及びガスキャビネット３に手を加えることなく、Ｌ型金具１６を用いた簡単な構成でキッチンユニット１を床２０に固定することができるが、Ｌ型金具１６をシンクキャビネット２の台輪５に形成された開口凹部５ｅに収納し、この開口凹部５ｅをガスキャビネット３の台輪６によって塞ぐようにしたため、Ｌ型金具１６が外部に露出することがなく、該Ｌ型金具１６に足を引っ掛けて安全性が損なわれたり、キッチンユニット１の外観デザイン性が損なわれることがなく、キッチンユニット１の安全性と商品性が高められる。
【００３７】
又、本実施の形態では、床固定部材をＬ型金具１６で構成したため、床固定部材としては１部品で足り、部品点数の削減とコストダウンを図ることができる。
【００３８】
尚、本実施の形態では、シンクキャビネット２の台輪５に開口凹部５ｅを形成し、この開口凹部５ｅをガスキャビネット３の台輪６で塞ぐ構成を採用したが、逆にガスキャビネット３の台輪６に開口凹部を形成し、この開口凹部をシンクキャビネット２の台輪５で塞ぐ構成を採用しても良い。
【００３９】
又、本実施の形態では、シンクキャビネット２とガスキャビネット３の２つのキャビネットで構成されるキッチンユニット１の床固定構造について説明したが、キッチンユニットが単体のキャビネットで構成される場合には、そのキャビネットの台輪に形成された開口凹部を化粧カバーで塞げば、前記と同様の効果を得ることができる。
【００４０】
更に、本実施の形態では、床固定部材としてＬ型金具１６を用いたが、床固定部材としては例えば位置調整が可能なもの等、他の任意のものを使用することができる。
【産業上の利用可能性】
【００４１】
本発明は、調理実習台の他、一般家庭に備えられるアイランド型の任意のキッチンユニットの床への固定構造に対して適用可能である。
【図面の簡単な説明】
【００４２】
【図１】本発明に係る床固定構造を備えるキッチンユニットの斜視図である。
【図２】本発明に係る床固定構造を備えるキッチンユニットの分解斜視図である。
【図３】本発明に係る床固定構造を備えるキッチンユニットを構成するシンクキャビネットの台輪の平面図である。
【図４】図３のＡ−Ａ線断面図である。
【図５】（ａ）〜（ｃ）はキッチンユニットの床への固定要領をその工程順に示す部分断面図である。
【図６】シンクキャビネットとガスキャビネットとの接合要領を示す部分斜視図である。
【図７】キッチンユニットの床固定構造の従来例１を示す部分斜視図である。
【図８】キッチンユニットの床固定構造の従来例２を示す部分斜視図である。
【図９】キッチンユニットの床固定構造の従来例３を示す部分斜視図である。
【符号の説明】
【００４３】
１          キッチンユニット
２          シンクキャビネット
３          ガイキャビネット
４          ワークトップ
５          台輪
５ａ，５ｂ  縦枠
５ｃ，５ｄ  横枠
５ｅ        開口凹部
６          台輪
７          シンク
８          水栓金具
９          開閉扉
１０        引き出し
１１        ガイテーブル
１２        オーブン
１３        レンジ
１４，１５  開閉扉
１６        Ｌ型金具（床固定部材）
１７        固定ねじ
１８        ねじ孔
１９        固定ねじ
２０        床
２１        ジョイントねじ
２２        ジョイントキャップ
【図１】
2006034752.tif 000003
【図２】
2006034752.tif 000004
【図３】
2006034752.tif 000005
【図４】
2006034752.tif 000006
【図５】
2006034752.tif 000007
【図６】
2006034752.tif 000008
【図７】
2006034752.tif 000009
【図８】
2006034752.tif 000010
【図９】
2006034752.tif 000011